(57)【要約】【課題】本発明は、ユーザが通話を行った後に、この通話相手にメールを送信したいと思った際に、ユーザが簡単にメールを作成することができる携帯電話機を提供する。【解決手段】電話番号及びメールアドレスをそれぞれ関連付けて記憶する記憶手段と、通話が終了された場合に、通話相手の電話番号に基づいて、記憶手段からこの通話相手のメールアドレスを取得する取得手段（Ｓ１０９）と、通話が終了された場合に、取得されたメールアドレスに対してメールを送信するための画面を表示する表示手段（Ｓ１１５）と、を備えた。【選択図】  図４
2010161471.tif 000002
【特許請求の範囲】
【請求項１】
電話番号及びメールアドレスをそれぞれ関連付けて記憶する第１の記憶手段と、
通話が終了された場合に、通話相手の電話番号に基づいて、前記第１の記憶手段からこの通話相手のメールアドレスを取得する取得手段と、
通話が終了された場合に、前記取得手段により取得されたメールアドレスに対してメールを送信するための画面を表示する第１の表示手段と、
を備えたことを特徴とする携帯電話機。
【請求項２】
通話が終了された場合に、この通話相手に対してメールを送信するか否かの入力を受け付ける受付手段を備え、
前記第１の表示手段は、前記受付手段がメールを送信する旨の入力を受け付けた場合、メールを送信するための画面を表示することを特徴とする請求項１記載の携帯電話機。
【請求項３】
前記受付手段がメールを送信する旨の入力を受け付けた場合、前記通話相手の電話番号に基づいて、前記第１の記憶手段にこの通話相手のメールアドレスが記憶されているか否かを判断する第１の判断手段を備え、
前記第１の表示手段は、前記第１の判断手段によりメールアドレスが記憶されているものと判断された場合、このメールアドレスに対してメールを送信するための画面を表示し、前記第１の判断手段によりメールアドレスが記憶されていないものと判断された場合、任意のメールアドレスに対してメールを送信するための画面を表示することを特徴とする請求項２記載の携帯電話機。
【請求項４】
前記第１の表示手段は、前記受付手段が、通話が終了されてから所定時間以内にメールを送信する旨の入力を受け付けた場合、メールを送信するための画面を表示することを特徴とする請求項２記載の携帯電話機。
【請求項５】
電話番号及びメールアドレスをそれぞれ関連付けて記憶する第１の記憶手段と、
通話が終了された場合に、通話相手の電話番号に基づいて、前記第１の記憶手段にこの通話相手のメールアドレスが記憶されているか否かを判断する第１の判断手段と、
通話が終了された場合に、前記第１の判断手段により通話相手のメールアドレスが記憶されていると判断された場合、そのメールアドレスに対してメールを送信するための画面を表示する第１の表示手段と、
を備えたことを特徴とする携帯電話機。
【請求項６】
前記第１の判断手段により通話相手のメールアドレスが記憶されていると判断された場合、このメールアドレスに対してメールを送信するか否かの入力を受け付ける受付手段を備え、
前記第１の表示手段は、前記受付手段がメールを送信する旨の入力を受け付けた場合、メールを送信するための画面を表示することを特徴とする請求項５記載の携帯電話機。
【請求項７】
通話が終了された場合に、この通話に関する履歴を記憶する第２の記憶手段と、
前記第１の表示手段により表示された画面に基づいて、前記通話相手のメールアドレスに対してメールを送信する送信手段と、を備え、
前記第２の記憶手段は、前記送信手段によりメールが送信された場合に、前記通話に関する履歴に対して、この送信メールに関する情報を関連付けて記憶することを特徴とする請求項１または５記載の携帯電話機。
【請求項８】
メールを受信する受信手段と、
前記受信手段により受信されたメールが、過去の通話に関連するものであるか否かを、前記第２の記憶手段により記憶された通話に関する履歴に基づいて判断する第２の判断手段と、
前記第２の記憶手段は、前記第２の判断手段により、前記受信手段により受信されたメールが過去の通話に関連するものであると判断された場合、その通話に関する履歴に対して、この受信メールに関する情報を関連付けて記憶することを特徴とする請求項７記載の携帯電話機。
【請求項９】
前記第２の記憶手段により記憶された前記通話に関する履歴を表示する第２の表示手段を備え、
前記第２の表示手段は、前記記憶手段により記憶された前記通話に関する履歴にメールに関する情報が関連付けられていた場合、このメールに関する情報を併せて表示することを特徴とする請求項８記載の携帯電話機。
【請求項１０】
電話番号及びメールアドレスをそれぞれ関連付けて記憶する第１の記憶手段と、
通話が終了された場合に、通話相手の電話番号に基づいて、前記第１の記憶手段からこの通話相手のメールアドレスを取得する取得手段と、
通話が終了された場合に、この通話相手に対してメールを送信するか否かの入力を受け付ける受付手段を備え、
前記第１の表示手段は、前記受付手段がメールを送信する旨の入力を受け付けた場合、メールを送信するための画面を表示することを特徴とする請求項１記載の携帯電話機。
【発明の詳細な説明】
【技術分野】
【０００１】
本発明は、通話終了時に、この通話相手のメールアドレスが記憶されているかどうかを判断して、記憶されていた場合に、この通話相手が送信先に設定されたメール送信画面を表示する携帯電話機に関する。
【背景技術】
【０００２】
携帯電話機の普及に伴い、ユーザは携帯電話機を常時携帯するようになり、複数のユーザ間で頻繁に連絡を取り合うことができるようになってきた。これらの携帯電話機は、通話がされる度に発信側から送信側に対して電話番号を通知し、相互でその通話履歴を記憶しておくことで、過去に通話を行った携帯電話機に対して再び電話発信を行う際に、それらの通話履歴を利用して通話相手を設定する機能を備えている。この機能により、ユーザは携帯電話機で簡単に通話相手を選択して、電話発信を行うことができる。
【０００３】
例えば、ユーザが既知でない相手に対して、着信履歴からこの相手を選択して発信する場合、着信時の着信期間の大小により自動的にユーザ自身の電話機の番号を非通知にする手段を有する安全機能付き携帯電話機が提案されている（特許文献１参照）。この携帯電話機は、着信した相手の電話の着信期間を計測する計測器と、着信期間に対する閾値を入力するボタンスイッチと、着信期間と閾値とを比較してユーザの電話番号を非通知にするか否かを判断する比較器と、を有するものである。
【先行技術文献】
【特許文献】
【０００４】
【特許文献１】特開２００４−１５９０９８号公報
【発明の概要】
【発明が解決しようとする課題】
【０００５】
携帯電話機の高性能化に伴い、ユーザが携帯電話機を用いて通信を行う際の通信方式が多様化してきた。例えばユーザは、同一の相手に対して、携帯電話機を用いて音声通話を行うのみでなく、メールの送受信も頻繁に行うようになってきた。
【０００６】
また、ユーザが携帯電話機を用いて音声通話を行った後で、話した内容に関する補足説明や感想等をこの通話相手に対して伝えたい状況がしばしば発生する。例えば、ユーザが通話内容のまとめ、重要事項の念押し、参考資料の送付などの説明を補足したい場合や、通信相手に対して感謝の気持ち、喜びの気持ちなどを伝えたい場合などである。
【０００７】
しかしながら、ユーザが携帯電話機を用いて音声通話を行った後に、この通信相手に対してメールを作成しようとした際、このときの通話履歴を利用して通話相手へのメールを作成することは可能ではあるが、その場合には、通話履歴の表示操作、通話相手の選択操作、メール画面の起動操作など、ユーザ操作が複数発生してしまい、メールの作成に時間や手間がかかってしまうという問題があった。
【０００８】
本発明は、上記課題を鑑みてなされてものであり、ユーザが通話を行った後に、この通話相手にメールを送信したいと思った際に、ユーザが簡単にメールを作成することができる携帯電話機を提供することを目的とする。
【課題を解決するための手段】
【０００９】
上記課題を解決するために、本発明に係る携帯電話機は、電話番号及びメールアドレスをそれぞれ関連付けて記憶する第１の記憶手段と、通話が終了された場合に、通話相手の電話番号に基づいて、前記第１の記憶手段からこの通話相手のメールアドレスを取得する取得手段と、通話が終了された場合に、前記取得手段により取得されたメールアドレスに対してメールを送信するための画面を表示する第１の表示手段と、を備えたことを特徴とする。
【発明の効果】
【００１０】
本発明に係る携帯電話機によると、ユーザが通話を行った後に、この通話相手にメールを送信したいと思った際に、ユーザが簡単にメールを作成することが可能となる。
【図面の簡単な説明】
【００１１】
【図１】（Ａ）は、本発明に係る携帯電話機（携帯電話機）の開いた状態を示す正面図、（Ｂ）は、本発明に係る携帯電話機（携帯電話機）の開いた状態を示す側面図。
【図２】（Ａ）は、本発明に係る携帯電話機（携帯電話機）の閉じた状態を示す正面図、（Ｂ）は、本発明に係る携帯電話機（携帯電話機）の閉じた状態を示す側面図。
【図３】本発明に係る携帯電話機（携帯電話機）の機能ブロック図。
【図４】第１実施形態の携帯電話機が電話発信時に通話後メール送信処理を行う際の手順を示すフローチャート。
【図５】（Ａ）及び（Ｂ）は、第１実施形態の携帯電話機が通話後メール送信処理を行う際の画面図。
【図６】第１実施形態の携帯電話機が通話後メール送信処理を行う際の画面図。
【図７】第１実施形態の携帯電話機が電話着信時に通話後メール送信処理を行う際の手順を示すフローチャート。
【図８】第２実施形態の携帯電話機が電話発信時に通話後メール送信処理を行う際の手順を示すフローチャート。
【図９】（Ａ）乃至（Ｃ）は、第２実施形態の携帯電話機が通話後メール送信処理を行う際の画面図。
【図１０】第２実施形態の携帯電話機が通話後メール送信処理を行う際の画面図。
【図１１】（Ａ）及び（Ｂ）は、第２実施形態の携帯電話機が通話後メール送信処理を行う際の画面図。
【図１２】第２実施形態の携帯電話機が受信メール関連付け処理を行う際の手順を示すフローチャート。
【図１３】第２実施形態の携帯電話機が関連メール表示処理を行う際の手順を示すフローチャート。
【図１４】（Ａ）及び（Ｂ）は、第２実施形態の携帯電話機が関連メール表示処理を行う際の画面図。
【図１５】第３実施形態の携帯電話機が電話発信時に通話後メール送信処理を行う際の手順を示すフローチャート。
【発明を実施するための形態】
【００１２】
〔第１実施形態〕
本発明に係る携帯電話機の第１実施形態について、図１乃至図７を参照しながら説明する。第１実施形態の携帯電話機として、複数の筐体が開閉自在に結合されてなるクラムシェル型の携帯電話機１を例にあげて説明する。図１（Ａ）は、携帯電話機１の開いた状態を示す正面図、図１（Ｂ）は、携帯電話機１の開いた状態を示す側面図である。また、図２（Ａ）は、携帯電話機１の閉じた状態を示す背面図、図２（Ｂ）は、携帯電話機１の閉じた状態を示す側面図である。
【００１３】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１及び図２のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１４】
上筐体１０の内面（下筐体１１に対面する側の面）１０ａには、文字や画像等を含んだ表示情報を表示するためのディスプレイ１３、通話相手から受信した音声を出力するためのレシーバ１４が設けられている。これらのディスプレイ１３やレシーバ１４は、携帯電話機１が閉じた状態のときには、下筐体１１により覆われていて外部に露出していないが、上筐体１０を下筐体１１に対して回転させて開いた状態に変形させたときには、外部に露出される。
【００１５】
下筐体１１の内面（上筐体１０に対面する側の面）１１ａには、例えば電源のＯＮ／ＯＦＦを切り替えるための電源キーや発呼処理を行うための発呼キー、終話処理を行うための終話キー、数字や文字を入力するためのテンキー、メール機能を起動するためのメール機能、Ｗｅｂ機能を起動するためのＷｅｂキー等からなる操作キー１５が設けられている。また下筐体１１には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。
【００１６】
次に、携帯電話機１の機能について、図３に示す機能ブロック図を用いて説明する。携帯電話機１は、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００１７】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する通話後メール送信処理、その他の様々な演算処理や制御処理等を行う。電源回路部２１は、電源供給源（バッテリ等）を備え、所定の操作キー１５（例えば電源キー）を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１８】
操作入力制御部２２は操作キー１５に対する入力インタフェースを備え、操作キー１５のいずれかが押されたことを検知すると、押された操作キー１５を示す信号を生成して主制御部２０に伝送する。信号を受信した主制御部２０は、この信号に基づいて様々な処理を行う。表示制御部２３はディスプレイ１３に対する表示インタフェースを備え、主制御部２０の制御に基づいて、文書データや画像データ等をディスプレイ１３に表示する。
【００１９】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００２０】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００２１】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する通話後メール送信処理を行う際の処理プログラムは、例えばＲＯＭに記憶されているものとする。
【００２２】
また、記憶部２６は、複数の通信相手の電話番号やメール送信先（メールアドレス）を示す電話帳情報、電話発信を行った履歴を示す発信履歴情報、電話着信を行った履歴を示す着信履歴情報、送受信されたメール情報を示すメール履歴情報を記憶している。電話帳情報は、各々の通信相手に対して、名前や電話番号やメールアドレス等の情報がそれぞれ関連付けられた情報である。発信履歴情報は、各々の電話発信に対して、発信日時、発信先の電話番号、発信先の名前等の情報がそれぞれ関連付けられた情報である。着信履歴情報は、各々の電話着信に対して、着信日時、発信元の電話番号、発信元の名前等の情報がそれぞれ関連付けられた情報である。メール履歴情報は、各々のメールに対して、メールＩＤ、メール送信日時（メール受信日時）、送信先（送信元）、件名、本文、添付ファイル等の情報がそれぞれ関連付けられた情報である。
【００２３】
ユーザが携帯電話機１を用いて通話（音声通話・テレビ電話・トランシーバなど）を行った後、この通話相手に対して、通話内容に対して説明を補足する必要がある場面や、通話内容に対する感想を伝えたい場面がしばしば発生する。例えば、通話内容のまとめ、通話内容における重要事項の念押し、参考資料の送付など、通話内容に対して説明を補足する必要があったり、通話相手に対する感謝の気持ち、喜びの気持ちなどを伝えたかったりした場合などである。
【００２４】
また携帯電話機１は、通話が終了した際に、ディスプレイ１３に終話画面を表示して、ユーザに対して終話処理を行ったことを通知する。そこで携帯電話機１は、通話が終了したときにディスプレイ１３に表示される終話画面に、この通話相手に対してメールを送信するためのショートカットキーを設け、ユーザによりこのショートカットキーが選択されることに基づいて、そのときの通話相手をメール送信先に設定したメール送信画面を表示する機能を備えている。ユーザは、通話が終了した際に、終話画面においてこのショートカットキーを選択することで、通話相手に対して簡単にメールを作成することができる。
【００２５】
携帯電話機１がこの通話後メール送信処理を行う際の手順について、図４及び図７に示すフローチャート、図５及び図６に示す画面図に基づいて説明する。なお、携帯電話機１が音声通話を行った後に通話後メール送信処理を行う例について説明する。以下、例えば「ステップＳ１０１」を「Ｓ１０１」のように、「ステップ」の語句を省略して説明する。
【００２６】
始めに、携帯電話機１が電話発信した場合の通話後メール送信処理について、図４に示すフローチャートに基づいて説明する。まず主制御部２０は、電話発信に対して着信側から応答があったか否かを判断する（Ｓ１０１）。応答がなかった場合（Ｓ１０１のＮｏ）は、主制御部２０は、通話が行われなかったため、通話後メール送信処理を行わずにそのまま終了する。
【００２７】
応答があった場合（Ｓ１０１のＹｅｓ）は、主制御部２０は音声通話を開始する（Ｓ１０３）。そして主制御部２０は、ステップＳ１０３にて開始された通話が、発信側あるいは着信側により切断されることにより終了されたか否かを判断する（Ｓ１０５）。通話が終了されていない場合（Ｓ１０５のＮｏ）は、主制御部２０は通話が終了されるまで待機する。
【００２８】
通話が終了された場合（Ｓ１０５のＹｅｓ）は、主制御部２０は、通話相手に関して、電話帳情報やメール履歴情報を検索する（Ｓ１０７）。例えば、主制御部２０は、通話相手の電話番号に基づいて電話帳情報を検索して、この通話相手のメールアドレスを検索する。または主制御部２０は、通話相手の電話番号に基づいてメール履歴情報を検索する。通話相手が電話番号のみでメールをやり取りできる相手であった場合には、通話相手の電話番号がメール履歴情報のメール相手として記録されている可能性があるからである。なお、主制御部２０は、通話相手の電話番号が、電話番号でメールのやり取りができる相手であった場合には、その電話番号をメールアドレスとする。
【００２９】
主制御部２０は、ステップＳ１０７にて通話相手のメールアドレスが取得できたか否かを判断する（Ｓ１０９）。通話相手のメールアドレスが取得できた場合（Ｓ１０９のＹｅｓ）は、主制御部２０は、メール送信ボタンを含んだ終話画面をディスプレイ１３の表示画面３０に表示する（Ｓ１１１）。このときの終話画面３１は、例えば図５（Ａ）に示すように、通話相手の電話番号や通話時間等が表示されているとともに、この通話相手に対してメールを送信するためのメール送信ボタン３２を備えている。
【００３０】
ユーザは、携帯電話機１を用いた音声通話を終了した後に、この通話相手に対してメールを送信したい場合に、操作キー１５を介してメール送信ボタン３２を選択する。よって主制御部２０は、ステップＳ１１１にて表示したメール送信ボタンが選択されたか否かを判断する（Ｓ１１３）。メール送信ボタンが選択されなかった場合（Ｓ１１３のＮｏ）は、主制御部２０は、通話相手に対してメールを送信せずに、通話後メール送信処理を終了する。
【００３１】
メール送信ボタンが選択された場合（Ｓ１１３のＹｅｓ）は、主制御部２０は、ステップＳ１０９にて取得されたメールアドレスが送信先に設定されたメール送信画面を、ディスプレイ１３の表示画面３０に表示する（Ｓ１１５）。このときにメール送信画面３３は、例えば図５（Ｂ）に示すように、送信先のメールアドレスが設定された入力欄３３ａ、及び、件名の入力欄３３ｂ、本文の入力欄３３ｃを備えている。ユーザは、このメール送信画面３３に基づいて件名や本文を入力してメールを作成する。そして主制御部２０は、作成されたメールを通話相手に対して送信する。
【００３２】
通話相手のメールアドレスが取得できなかった場合（Ｓ１０９のＮｏ）は、通話相手のメールアドレスがわからずメールを送信できないため、主制御部２０は、通常の終話画面をディスプレイ１３の表示画面３０に表示する（Ｓ１１７）。このときの終話画面３１は、例えば図６に示すように、通話相手の電話番号や通話時間等が表示されているが、ステップＳ１０９にてメールアドレスが取得できた場合と異なり、メール送信ボタン３２が表示されない。そして主制御部２０は、通話相手に対してメールを送信せずに、通話後メール送信処理を終了する。
【００３３】
次に、携帯電話機１が電話着信した場合の通話後メール送信処理について、図７に示すフローチャートに基づいて説明する。携帯電話機１に電話着信があったときに、主制御部２０は、スピーカ１４から音声は発生させたり携帯電話機１を振動させたりすることにより、ユーザに対してこの電話着信を通知する（Ｓ２０１）。ユーザはこの通知を受けて、この電話着信に応答したい場合に、例えば所定の操作キー１５（例えば発呼キー）を介した入力により、携帯電話機１に対してこの電話着信に応答するように指示を出す。
【００３４】
主制御部２０は、電話着信に対して応答するように指示されたか否かを判断する（Ｓ２０３）。この際、主制御部２０は、例えば所定の操作キー１５（例えば発呼キー）を介した入力に基づいて、電話着信に応答するように指示されたものと判断する。応答するように指示されなかった場合（Ｓ２０３のＮｏ）は、主制御部２０は、通話が行われないため、通話後メール送信処理を行わずにそのまま終了する。
【００３５】
応答するように指示された場合（Ｓ２０３のＹｅｓ）は、主制御部２０は音声通話を開始する（Ｓ２０５）。そして主制御部２０は、ステップＳ２０５にて開始された通話が、発信側あるいは着信側により切断されることにより終了されたか否かを判断する（Ｓ２０７）。通話が終了されていない場合（Ｓ２０７のＮｏ）は、主制御部２０は通話が終了されるまで待機する。
【００３６】
通話が終了された場合（Ｓ２０７のＹｅｓ）は、主制御部２０は、ステップＳ１０７と同様に、通話相手に関して、電話帳情報やメール履歴情報を検索する（Ｓ２０９）。主制御部２０は、ステップＳ２０９にて通話相手のメールアドレスが取得できたか否かを判断する（Ｓ２１１）。通話相手のメールアドレスが取得できた場合（Ｓ２１１のＹｅｓ）は、主制御部２０は、ステップＳ１１１と同様に、メール送信ボタンを含んだ終話画面をディスプレイ１３の表示画面３０に表示する（Ｓ２１３）。
【００３７】
ユーザは、携帯電話機１を用いた音声通話を終了した後に、この通話相手に対してメールを送信したい場合に、操作キー１５を介してメール送信ボタン３２を選択する。よって主制御部２０は、ステップＳ２１３にて表示したメール送信ボタンが選択されたか否かを判断する（Ｓ２１５）。メール送信ボタンが選択されなかった場合（Ｓ２１５のＮｏ）は、主制御部２０は、通話相手に対してメールを送信せずに、通話後メール送信処理を終了する。
【００３８】
メール送信ボタンが選択された場合（Ｓ２１５のＹｅｓ）は、主制御部２０は、ステップＳ１１５と同様に、ステップＳ２１１にて取得されたメールアドレスが送信先に設定されたメール送信画面を、ディスプレイ１３の表示画面３０に表示する（Ｓ２１７）。ユーザは、このメール送信画面３３に基づいて件名や本文を入力してメールを作成する。そして主制御部２０は、作成されたメールを通話相手に対して送信する。
【００３９】
通話相手のメールアドレスが取得できなかった場合（Ｓ２１１のＮｏ）は、通話相手のメールアドレスがわからずメールを送信できないため、主制御部２０は、ステップＳ１１７と同様に、通常の終話画面をディスプレイ１３の表示画面３０に表示する（Ｓ２１９）。そして主制御部２０は、通話相手に対してメールを送信せずに、通話後メール送信処理を終了する。
【００４０】
このように携帯電話機１は、通話（音声通話、テレビ電話、トランシーバ等）が終了された際に、発信側及び着信側の双方において、通話相手のメールアドレスを電話帳やメール履歴から抽出して、メールアドレスが抽出された場合に、通話相手に対してメールを送信するためのメール送信ボタンを備えた終話画面を表示する。そして携帯電話機１は、このメール送信ボタンが選択された場合に、この通信相手をメールの送信先に設定した状態でメール送信画面を表示する。また携帯電話機１は、通話相手のメールアドレスが抽出できなかった場合には、通話相手に対してメールを送信するためのメール送信ボタンを備えていない通常の終話画面を表示する。
【００４１】
なお、通話後にメール送信画面を表示するか否かについて、記憶部２６に記憶されている電話帳において、通話相手ごとに設定できるようにすると良い。この場合には、もし通話相手が、通話後にメール送信画面を表示しないように設定されていたときには、携帯電話機１は、ステップＳ１０７乃至Ｓ１１５の処理、及びステップＳ２０９乃至Ｓ２１７の処理を行わない。
【００４２】
また、携帯電話機１は、通話中に例えば所定の操作キー１５（例えば終話キー）が長押しされる等により通話の強制終了が指示された場合に、この通話を強制的に終了する。この場合には、携帯電話機１は終話画面の表示を行わない。このように通話の終了時に終話画面が表示されないときには、ステップＳ１１１及びＳ１１７、ステップＳ２１３及びＳ２１９を行わずに、ステップＳ１０９、ステップＳ２１１にて通話相手のメールアドレスが取得できた場合（Ｓ１０９のＹｅｓ，Ｓ２１１のＹｅｓ）に、ステップＳ１１５、ステップＳ２１７に移行して、通話相手のメールアドレスが設定されたメール送信画面を表示させるようにしても良い。
【００４３】
第１実施形態によると、ユーザが音声通話を行った後に、この通話相手にメールを送信したいと思った際に、終話画面に備えられたメール送信ボタンを選択することにより、この通話相手のメールアドレスが予め設定されたメール送信画面を表示させ、この画面に基づいて簡単にメールを作成することが可能となる。
【００４４】
〔第２実施形態〕
本発明に係る携帯電話機の第２実施形態について、図８乃至図１４を参照しながら説明する。以下、第１実施形態と同一の構成には同一の符号を付し、重複する説明を省略する。第２実施形態の携帯電話機１は、図１及び図２に示すように、第１実施形態の携帯電話機１と同一の構成を備えている。また第２実施形態の携帯電話機１は、第１実施形態の携帯電話機１と同様に、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００４５】
第１実施形態の携帯電話機１として、通話後メール送信処理を行う際に、音声通話を行った後にその通話相手に対してメールを送信して終了する例について説明した。しかしながら第２実施形態の携帯電話機１は、通話後メール送信処理において、音声通話を行った後にその通話相手にメールを送信した場合に、電話の発信履歴や着信履歴において、音声通話と送信メールとを関連付けて記憶する。また第２実施形態の携帯電話機１は、音声通話を行った後に通話相手からメールを受信した場合にも、同様に、電話の発信履歴や着信履歴において、音声通話と受信メールとを関連付けて記憶する。そして第２実施形態の携帯電話機１は、ユーザにより電話の発信履歴や着信履歴の提示が指示された場合に、音声通話の記録に併せてこれらの送信メールや受信メールを提示する。
【００４６】
第２実施形態の携帯電話機１がこの通話後メール送信処理を行う際の手順について、図８、図１２、図１３に示すフローチャート、図９、図１０、図１１、図１４に示す画面図に基づいて説明する。なお、ステップＳ３０１乃至Ｓ３２５において携帯電話機１が電話発信を行う場合について説明するが、携帯電話機１が電話着信を受けた場合においても同様の処理を行うものとする。
【００４７】
まず、携帯電話機１が電話発信した場合の通話後メール送信処理について、図８に示すフローチャートに基づいて説明する。主制御部２０は、電話発信に対して着信側から応答があったか否かを判断する（Ｓ３０１）。応答がなかった場合（Ｓ３０１のＮｏ）は、主制御部２０は、通話が行われなかったため、通話後メール送信処理を行わずにそのまま終了する。
【００４８】
応答があった場合（Ｓ３０１のＹｅｓ）は、主制御部２０は音声通話を開始する（Ｓ３０３）。そして主制御部２０は、ステップＳ３０３にて開始された通話が、発信側あるいは着信側により切断されることにより終了されたか否かを判断する（Ｓ３０５）。通話が終了されていない場合（Ｓ３０５のＮｏ）は、主制御部２０は通話が終了されるまで待機する。
【００４９】
通話が終了された場合（Ｓ３０５のＹｅｓ）は、主制御部２０は、メール送信ボタンを含んだ終話画面をディスプレイ１３の表示画面３０に表示する（Ｓ３０７）。このときの終話画面３１は、例えば図９（Ａ）に示すように、通話相手の電話番号や通話時間等が表示されているとともに、この通話相手に対してメールを送信するためのメール送信ボタン３２を備えている。
【００５０】
ユーザは、携帯電話機１を用いた音声通話を終了した後に、この通話相手に対してメールを送信したい場合に、操作キー１５を介してメール送信ボタン３２を選択する。よって主制御部２０は、ステップＳ３０７にて表示したメール送信ボタンが選択されたか否かを判断する（Ｓ３０９）。メール送信ボタンが選択されなかった場合（Ｓ３０９のＮｏ）は、主制御部２０は、この電話発信に関する情報を発信履歴に記憶する（Ｓ３１１）。この際、例えば、電話の発信履歴にステップＳ３０３にて開始された通話の通話相手を示す情報、通話日時や通話時間を示す情報、通話料金を示す情報等がそれぞれ対応付けられて記憶される。そして主制御部２０は、通話相手に対してメールを送信せずに、通話後メール送信処理を終了する。
【００５１】
メール送信ボタンが選択された場合（Ｓ３０９のＹｅｓ）は、通話相手に関して、電話帳情報やメール履歴情報を検索する（Ｓ３１３）。例えば、主制御部２０は、通話相手の電話番号に基づいて電話帳情報を検索して、この通話相手のメールアドレスを検索する。または主制御部２０は、通話相手の電話番号に基づいてメール履歴情報を検索する。通話相手が電話番号のみでメールをやり取りできる相手であった場合には、通話相手の電話番号がメール履歴情報のメール相手として記録されている可能性があるからである。なお、主制御部２０は、通話相手の電話番号が、電話番号でメールのやり取りができる相手であった場合には、その電話番号をメールアドレスとする。
【００５２】
主制御部２０は、ステップＳ３１３にて通話相手のメールアドレスが取得できたか否かを判断する（Ｓ３１５）。通話相手のメールアドレスが取得できた場合（Ｓ３１５のＹｅｓ）は、主制御部２０は、ステップＳ３１５にて取得されたメールアドレスが送信先に設定されたメール送信画面を、ディスプレイ１３の表示画面３０に表示する（Ｓ３１７）。このときにメール送信画面３３は、例えば図９（Ｂ）に示すように、送信先のメールアドレスが設定された入力欄３３ａ、及び、件名の入力欄３３ｂ、本文の入力欄３３ｃを備えている。ユーザは、このメール送信画面３３に基づいて件名や本文を入力してメールを作成する。
【００５３】
通話相手のメールアドレスが取得できなかった場合（Ｓ３１５のＮｏ）は、主制御部２０は、通常のメール送信画面をディスプレイ１３の表示画面３０に表示する（Ｓ３１９）。このときのメール送信画面３３は、例えば図９（Ｃ）に示すように、送信先のメールアドレスの入力欄３３ａ、件名の入力欄３３ｂ、本文の入力欄３３ｃを備えている。ユーザは、このメール送信画面３３に基づいて送信先や件名や本文を入力してメールを作成する。
【００５４】
主制御部２０は、メールの送信が指示されたか否かを判断する（Ｓ３２１）。この際、主制御部２０は、例えば操作キー１５を介してメールの件名や本文（送信先のメールアドレスが設定されていない場合は、送信先も含む。）が入力され、所定の操作キー１５が選択されたことに基づいて、メールの送信が指示されたものと判断する。メールの送信が指示されていない場合（Ｓ３２１のＮｏ）は、主制御部２０はメールの送信が指示されるまで待機する。メールの送信が指示された場合（Ｓ３２１のＹｅｓ）は、主制御部２０は、作成されたメールを送信する（Ｓ３２３）。
【００５５】
主制御部２０は、ステップＳ３０３にて開始された音声発信の履歴と、ステップＳ３２３にて送信されたメールのメールＩＤとをそれぞれ関連付けて、電話の発信履歴に記憶する（Ｓ３２５）。この際、例えば、メールの送信履歴にステップＳ３２３にて送信されたメールのメールＩＤを示す情報、送信先を示す情報、送信日時を示す情報、件名を示す情報、本文を示す情報、添付ファイルを示す情報等がそれぞれ対応付けられて記憶される。また、電話の発信履歴にステップＳ３０３にて開始された通話の通話相手を示す情報、通話日時や通話時間を示す情報、通話料金を示す情報等、及びステップＳ３２３にて送信されたメールのメールＩＤを示す情報がそれぞれ対応付けられて記憶される。
【００５６】
なお、携帯電話機１が電話着信を受けた場合においては、主制御部２０は、ステップＳ３１１にて、この電話着信に関する情報を着信履歴に記憶し、ステップＳ３２５にて、ステップＳ３０３にて開始された音声着信の履歴と、ステップＳ３２３にて送信されたメールのメールＩＤとをそれぞれ関連付けて、電話の着信履歴に記憶する。
【００５７】
また、ステップＳ３１７またはＳ３１９にてメール送信画面を表示する際、メールの本文やタイトルに、ステップＳ３０３にて開始された音声通話に関連するメールであることを示す情報を予め設定するようにしても良い。このときのメール送信画面３３は、例えば図１０に示すように、メールの本文の入力欄３３ｃに、「８月１８日１３：１９〜１３：２５（７分）のＡさん（０９０−ｘｘｘｘ−ｘｘｘｘ）からＢさん（０９０−ｙｙｙｙ−ｙｙｙｙ）への電話に関する。」等の文字列が予め設定された状態でディスプレイ１３の表示画面３０に表示される。この際、送信メールがどの音声通話に関連するメールなのかを特定するために、メールの本文またはタイトルに、電話発信側の電話番号、電話受信側の電話番号、通話開始時間、通話終了時間、通話時間等が含まれるようにすると良い。
【００５８】
この際、例えば、通話開始時間、通話終了時間、通話時間は通話履歴から抽出され、携帯電話機１のユーザの名前と電話番号は、携帯電話機１のオーナー情報から抽出され、通信相手の端末の名前や電話番号は電話帳情報や発信履歴や着信履歴から抽出される。
【００５９】
さらに、ステップＳ３１７またはＳ３１９にてメール送信画面を表示する際に、メール本文の定型文を複数提示して、ユーザに定型文を選択するように促しても良い。このとき、例えば図１１（Ａ）に示すように、「電話ありがとう」、「お会いできるのを楽しみにしています」等の複数の定型文をディスプレイ１３の表示画面３０に選択可能なように表示する。そしてステップＳ３１７またはＳ３１９にて、ユーザにより操作キー１５を介して選択された定型文が、メール送信画面において本文に設定される。例えば図１１（Ａ）に示す表示画面３０から「電話ありがとう」の定型文が選択された場合には、図１１（Ｂ）に示すように、メール送信画面３３が表示されるときに、本文の入力欄３３ｃにこの「電話ありがとう」の文字列が設定された状態で表示される。
【００６０】
このように携帯電話機１は、通話（音声通話、テレビ電話、トランシーバ等）が終了された際に、発信側及び着信側の双方において、通話相手に対してメールを送信するためのメール送信ボタンを備えた終話画面を表示し、ユーザによりこのメール送信ボタンが選択された場合に、通話相手のメールアドレスを電話帳やメール履歴から抽出して、メールの送信先に設定した状態でメール送信画面を表示する。また携帯電話機１は、通話相手のメールアドレスが抽出できなかった場合には、送信先が設定されていない状態でメール送信画面を表示する。
【００６１】
また、携帯電話機１は、通話後にこのメール相手に対してメールを送信した際に、記憶部２６に記憶されている発信履歴情報（あるいは着信履歴情報）におけるこの通話の履歴に対して、この送信メールのメールＩＤを関連付けておく。これにより、携帯電話機１は発信履歴（あるいは着信履歴）を表示する際に、この送信メールに関する情報を併せて表示することができる。
【００６２】
次に、携帯電話機１がメールを受信した際に、この受信メールが音声通話に関連しているかどうかを判断して、関連していた場合に、通話履歴にこの受信メールを関連付ける受信メール関連付け処理の手順について、図１２に示すフローチャートに基づいて説明する。
【００６３】
まず主制御部２０は、携帯電話機１がメールを受信したか否かを判断する（Ｓ４０１）。メールを受信していない場合（Ｓ４０１のＮｏ）は、主制御部２０はメールを受信するまで待機する。
【００６４】
メールを受信した場合（Ｓ４０１のＹｅｓ）は、主制御部２０は、受信メールが、携帯電話機１において過去にされた音声通話の関連メールであるか否かを判断する（Ｓ４０３）。この際、主制御部２０は、受信メールに、携帯電話機１において過去にされた音声通話の関連メールである旨を示す情報が含まれていたことに基づいて、受信メールが、携帯電話機１において過去にされた音声通話の関連メールであるものと判断する。携帯電話機１において過去にされた音声通話の関連メールである旨を示す情報とは、例えば、音声通話の際の電話発信側の電話番号、電話受信側の電話番号、通話開始時間、通話終了時間、通話時間等である。
【００６５】
受信メールが、携帯電話機１において過去にされた音声通話の関連メールでなかった場合（Ｓ４０３のＮｏ）は、主制御部２０は、受信メールの関連付けを行わずに、そのまま受信メール関連付け処理を終了する。
【００６６】
受信メールが、携帯電話機１において過去にされた音声通話の関連メールであった場合（Ｓ４０３のＹｅｓ）は、主制御部２０は、記憶部２６に記憶されている通話履歴（電話の発信履歴または着信履歴）に、ステップＳ４０３にて受信メールの関連メールであるとされた音声通話の履歴が含まれているか否かを判断する（Ｓ４０５）。この際、主制御部２０は、受信メールに含まれている音声通話の際の電話発信側の電話番号、電話受信側の電話番号、通話開始時間、通話終了時間、通話時間等の情報に基づいて、その音声通話の履歴が通話履歴に含まれているか否かを判断する。
【００６７】
その音声通話の履歴が、記憶部２６に記憶されている通話履歴に含まれていなかった場合（Ｓ４０５のＮｏ）は、主制御部２０は、受信メールの関連付けを行わずに、そのまま受信メール関連付け処理を終了する。
【００６８】
その音声通話の履歴が、記憶部２６に記憶されている通話履歴に含まれていた場合（Ｓ４０５のＹｅｓ）は、主制御部２０は、記憶部２６に記憶されている通話履歴において、その音声通話にステップＳ４０１にて受信したメールのメールＩＤを関連付けて（Ｓ４０７）、受信メール関連付け処理を終了する。
【００６９】
このように携帯電話機１は、メールを受信した際に、記憶部２６に記憶されている発信履歴情報（あるいは着信履歴情報）に基づいて、このメールが過去の通話に関連するメールであるか否かを判断し、関連するメールであった場合に、発信履歴情報（あるいは着信履歴情報）におけるこの通話の履歴に対して、この受信メールのメールＩＤを関連付けておく。これにより、携帯電話機１は発信履歴（あるいは着信履歴）を表示する際に、この受信メールに関する情報を併せて表示することができる。
【００７０】
次に、携帯電話機１において発信履歴の表示が指示された際に、音声通話の通話履歴に併せて、ステップＳ３２５にて関連付けられた送信メール、またはステップＳ４０７にて関連付けられた受信メールを表示する関連メール表示処理の手順について、図１３に示すフローチャートに基づいて説明する。なお、記憶部２６に記憶されている通話履歴のうちの発信履歴の表示が指示された場合について説明するが、着信履歴の表示が指示された場合であっても同様の処理がされる。
【００７１】
まず主制御部２０は、発信履歴の表示が指示されたか否かを判断する（Ｓ５０１）。この際、主制御部２０は、例えばユーザにより所定の操作キー１５が押下されたことに基づいて、発信履歴の表示が指示されたものと判断する。発信履歴の表示が指示されていない場合（Ｓ５０１のＮｏ）は、主制御部２０は発信履歴の表示が指示されるまで待機する。
【００７２】
発信履歴の表示が指示された場合（Ｓ５０１のＹｅｓ）は、主制御部２０は、記憶部２６に発信履歴として記憶されている複数の音声通話の発信履歴の中から、先頭の音声通話の発信履歴を取得する（Ｓ５０３）。主制御部２０は、ステップＳ５０３（あるいはステップＳ５１１）にて取得した音声通話の発信履歴にメールが関連付けられているか否かを判断する（Ｓ５０５）。ステップＳ３２５またはＳ４０７にてメールＩＤが関連付けられた音声通話の通話履歴には、メールが関連付けられている。
【００７３】
音声通話の通話履歴にメールが関連付けられていた場合（Ｓ５０５のＹｅｓ）には、主制御部２０は、発信履歴を表示する際のこの音声通話に関する表示内容に対して関連メールの情報を付加する（Ｓ５０７）。
【００７４】
主制御部２０は、記憶部２６に記憶された発信履歴において、次の音声通話に関する発信履歴があるか否かを判断する（Ｓ５０９）。次の音声通話に関する発信履歴があった場合（Ｓ５０９のＹｅｓ）は、ステップＳ５０５に戻って、主制御部２０は、この音声通話に関する発信履歴を取得する（Ｓ５１１）。そして主制御部２０は、この音声通話に関する発信履歴に対して、ステップＳ５０５乃至Ｓ５０９の処理を行う。
【００７５】
次の音声通話に関する発信履歴がなかった場合、すなわち全ての音声通話に関する発信履歴に対してステップＳ５０５乃至Ｓ５０７の処理を行った場合（Ｓ５０９のＮｏ）は、主制御部２０は、記憶部２６に記憶されている発信履歴をディスプレイ１３の表示画面３０に表示する（Ｓ５１３）。このときの発信履歴画面３４は、例えば図１４（Ａ）に示すように、複数の音声通話に関する発信履歴が表示されているとともに、場合によって関連メールを表示させるための関連メール表示ボタン３５を備えている。
【００７６】
例えば図１４（Ａ）に示す発信履歴画面３４によると、ステップＳ５０７にて表示内容に関連メールの情報が付加された音声通話の発信履歴（ステップＳ５０５にてメールが関連付けられていると判断された音声通話の発信履歴）には、（１）に示すＡさんに対する発信履歴のように、関連メール表示ボタン３５が備えられ、ステップＳ５０７にて表示内容の関連メールの情報が付加されていない音声通話の発信履歴（ステップＳ５０５にてメールが関連付けられていないと判断された音声通話の発信履歴）には、（２）に示すＢさんに対する発信履歴のように、関連メール表示ボタン３５が備えられない。
【００７７】
ユーザは、音声通話の関連メールを確認したい場合等に、操作キー１５を介して関連メール表示ボタン３５を選択することにより、携帯電話機１に対して関連メールを表示するように指示を出す。主制御部２０は、関連メールの情報の表示が指示されたか否かを判断する（Ｓ５１５）。この際、主制御部２０は、関連メール表示ボタン３５が選択されたことに基づいて、関連メールの情報の表示が指示されたものと判断する。関連メールの情報の表示が指示されなかった場合（Ｓ５１５のＮｏ）は、主制御部２０は、関連メールの情報を表示せずに、関連メール表示処理を終了する。
【００７８】
関連メールの情報の表示が指示された場合（Ｓ５１５のＹｅｓ）は、主制御部２０は、表示が指示された関連メールの情報を表示する。このときのメール閲覧画面３６は、例えば図１４（Ｂ）に示すように、メールの送信元を表示する表示欄３６ａ、件名を表示する表示欄３６ｂ、本文を表示する表示欄３６ｃを備えている。
【００７９】
このように携帯電話機１は、発信履歴（あるいは着信履歴）を表示する際に、送信メールまたは受信メールが関連付けられていた場合に、これらのメールに関する情報を併せて表示する。これにより、ユーザは発信履歴（あるいは着信履歴）から、このメールの内容を確認することができる。
【００８０】
第２実施形態によると、ユーザが音声通話を行った後に、この通話相手にメールを送信したいと思った際に、終話画面の備えられたメール送信ボタンを選択することにより、この通話相手が送信先として予め設定されたメール送信画面を表示させ、この画面に基づいて簡単にメールを作成することが可能となる。
【００８１】
また、第２実施形態によると、通話後にメールを送信した際にこの送信メールをこの発信履歴（あるいは着信履歴）に関連付けておき、また、メールを受信した際にこの受信メールが通話に関するメールであった場合にこの受信メールをその発信履歴（あるいは着信履歴）に関連付けておくことで、発信履歴（あるいは着信履歴）を表示する際、この通話に関連するメールを併せて表示することが可能となる。
【００８２】
〔第３実施形態〕
本発明に係る携帯電話機の第３実施形態について、図１５を参照しながら説明する。以下、第１実施形態及び第２実施形態と同一の構成には同一の符号を付し、重複する説明を省略する。第３実施形態の携帯電話機１は、図１及び図２に示すように、第１実施形態及び第２実施形態の携帯電話機１と同一の構成を備えている。また第３実施形態の携帯電話機１は、第１実施形態及び第２実施形態の携帯電話機１と同様に、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００８３】
第３実施形態の携帯電話機１は、音声通話を行ってから所定時間以内にユーザによりメールの送信が指示された場合に、その通話相手が送信先として予め設定されているメール送信画面を表示する。第３実施形態の携帯電話機１がこの通話後メール送信処理を行う際の手順について、図１５に示すフローチャート、及び図９に示す画面図に基づいて説明する。なお、ステップＳ６０１乃至Ｓ６１７において携帯電話機１が電話発信を行う場合について説明するが、携帯電話機１が電話着信を受けた場合においても同様の処理を行うものとする。
【００８４】
まず主制御部２０は、電話発信に対して着信側から応答があったか否かを判断する（Ｓ６０１）。応答がなかった場合（Ｓ６０１のＮｏ）は、主制御部２０は、通話が行われなかったため、通話後メール送信処理を行わずにそのまま終了する。
【００８５】
応答があった場合（Ｓ６０１のＹｅｓ）は、主制御部２０は音声通話を開始する（Ｓ６０３）。そして主制御部２０は、ステップＳ６０３にて開始された通話が、発信側あるいは着信側により切断されることにより終了されたか否かを判断する（Ｓ６０５）。通話が終了されていない場合（Ｓ６０５のＮｏ）は、主制御部２０は通話が終了されるまで待機する。
【００８６】
通話が終了された場合（Ｓ６０５のＹｅｓ）は、主制御部２０は、ユーザによりメールの作成が指示されたか否かを判断する（Ｓ６０７）。この際、主制御部２０は、例えばユーザにより所定の操作キー１５（例えばメールキー）が押下されたことに基づいて、メールの作成が指示されたものと判断する。
【００８７】
メールの作成が指示されていない場合（Ｓ６０７のＮｏ）は、主制御部２０は、ステップＳ６０５にて通話が終了されてから所定時間が経過したか否かを判断する（Ｓ６０９）。所定時間が経過していない場合（Ｓ６０９のＮｏ）は、ステップＳ６０７に戻って、主制御部２０は再びメールの作成が指示されたか否かを判断する。所定時間が経過した場合（Ｓ６０９のＹｅｓ）は、主制御部２０は、メールを送信せずに、通話後メール送信処理を終了する。
【００８８】
メール作成が指示された場合（Ｓ６０７のＹｅｓ）は、主制御部２０は、通話相手に関して、電話帳情報やメール履歴情報を検索する（Ｓ６１１）。例えば、主制御部２０は、通話相手の電話番号に基づいて電話帳情報を検索して、この通話相手のメールアドレスを検索する。または主制御部２０は、通話相手の電話番号に基づいてメール履歴情報を検索する。通話相手が電話番号のみでメールをやり取りできる相手であった場合には、通話相手の電話番号がメール履歴情報のメール相手として記録されている可能性があるからである。なお、主制御部２０は、通話相手の電話番号が、電話番号でメールのやり取りができる相手であった場合には、その電話番号をメールアドレスとする。
【００８９】
主制御部２０は、ステップＳ６１１にて通話相手のメールアドレスが取得できたか否かを判断する（Ｓ６１３）。通話相手のメールアドレスが取得できた場合（Ｓ６１３のＹｅｓ）は、主制御部２０は、ステップＳ６１３にて取得されたメールアドレスが送信先に設定されたメール送信画面を、ディスプレイ１３の表示画面３０に表示する（Ｓ６１５）。このときにメール送信画面３３は、例えば図９（Ｂ）に示すように、送信先のメールアドレスが設定された入力欄３３ａ、及び、件名の入力欄３３ｂ、本文の入力欄３３ｃを備えている。ユーザは、このメール送信画面３３に基づいて件名や本文を入力してメールを作成する。
【００９０】
通話相手のメールアドレスが取得できなかった場合（Ｓ６１３のＮｏ）は、主制御部２０は、通常のメール送信画面をディスプレイ１３の表示画面３０に表示する（Ｓ６１７）。このときのメール送信画面３３は、例えば図９（Ｃ）に示すように、送信先のメールアドレスの入力欄３３ａ、件名の入力欄３３ｂ、本文の入力欄３３ｃを備えている。ユーザは、このメール送信画面３３に基づいて送信先や件名や本文を入力してメールを作成する。
【００９１】
このように携帯電話機１は、通話（音声通話、テレビ電話、トランシーバ等）が終了されてから所定時間以内に、発信側及び着信側の双方において、ユーザによりメール送信が指示された場合に、通話相手のメールアドレスを電話帳やメール履歴から抽出して、このメールアドレスをメールの送信先に設定した状態でメール送信画面を表示する。また携帯電話機１は、通話相手のメールアドレスが抽出できなかった場合には、送信先が設定されていない状態でメール送信画面を表示する。
【００９２】
第３実施形態によると、ユーザが音声通話を行った後に、この通話相手にメールを送信したいと思った際に、音声通話が終了されてから所定時間内にメールの作成を指示する（例えばメールキーを押下する）ことにより、通話相手のメールアドレスが送信先に設定されたメール送信画面を表示させ、この画面に基づいて簡単にメールを作成することが可能となる。
【００９３】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯音楽プレイヤー、携帯ビデオカメラ、携帯ゲーム機等、音声通話機能及びメール送受信機能を備えている通信端末であれば、任意の通信端末であっても良い。
【符号の説明】
【００９４】
１…携帯電話機，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２３…表示制御部，２４…音声制御部，２５…通信制御部，２５ａ…アンテナ，２６…記憶部，３０…表示画面，３１…終話画面，３２…メール送信ボタン，３３…メール送信画面，３４…発信履歴画面，３５…関連メール表示ボタン，３６…メール閲覧画面。
【図１】
2010161471.tif 000003
【図２】
2010161471.tif 000004
【図３】
2010161471.tif 000005
【図４】
2010161471.tif 000006
【図５】
2010161471.tif 000007
【図６】
2010161471.tif 000008
【図７】
2010161471.tif 000009
【図８】
2010161471.tif 000010
【図９】
2010161471.tif 000011
【図１０】
2010161471.tif 000012
【図１１】
2010161471.tif 000013
【図１２】
2010161471.tif 000014
【図１３】
2010161471.tif 000015
【図１４】
2010161471.tif 000016
【図１５】
2010161471.tif 000017